(57)【要約】      （修正有）【課題】簡易に製造することができ、コスト高ともならず、容器上方の蓋部の注ぎ口を簡易に且つ破くことなく正確に開口することが可能で、良好な液体の注出を実現でき、衛生面にも優れた液体用収容容器を提供する。【解決手段】本液体用収容容器は、液体を収容する収容部１と、該収容部１から連設されており、開口時に注ぎ口中心折曲線３１に沿って折り曲げられることで注ぎ口を形成する右側接合部２６、左側接合部２７を有する蓋部２と、上記右側接合部２６、左側接合部２７に、上記注ぎ口中心折曲線３１から所定の間隔をあけてそれぞれ設けられている摘み部２８ａ，２８ｂとを備えたことを特徴とする。【選択図】図１
0003158691.tif 000002
【実用新案登録請求の範囲】
【請求項１】
液体を収容する収容部と、
上記収容部から連設されており、開口時に注ぎ口中心折曲線に沿って折り曲げられることで注ぎ口を形成する左右の接合部を有する蓋部と、
上記左右の接合部に、上記注ぎ口中心折曲線から所定の間隔をあけてそれぞれ設けられている摘み部とを備えたこと
を特徴とする液体用収容容器。
【請求項２】
上記摘み部は、上記左右の接合部の上辺から上方に向けて延出されるように設けられており、上方が円弧形状となっていること
を特徴とする請求項１に記載の液体用収容容器。
【請求項３】
上記摘み部は、三角形状であり、上記注ぎ口中心折曲線により定められる注ぎ口中心から離れるに従って高さが高くなるような傾斜の斜辺を有すること
を特徴とする請求項１に記載の液体用収容容器。
【請求項４】
上記蓋部の上記左右の接合部の上辺の所定の間隔があけれらた上記摘み部間は、上記収容部に収容された液体の注出時の流路となること
を特徴とする請求項１に記載の液体用収容容器。
【請求項５】
液体を収容する収容部と、
上記収容部から連設されており、後面の左右の接合部と前面の左右の接合部を有し、閉じた状態では後面の左右の接合部の一部が接合され、前面の左右の接合部が接合され、開口時には、上記後面の左右の接合部の接合が剥がされ、上記前面の左右の接合部の接合が剥がされ、上記前面の左右の接合部が注ぎ口中心折曲線に沿って折り曲げられることで注ぎ口を形成する蓋部と、
上記前面の左右の接合部に、上記注ぎ口中心折曲線により定められる注ぎ口中心から所定の間隔をあけてそれぞれ設けられている摘み部とを備え、
上記蓋部の上記前面の左右の接合部の上辺の所定の間隔があけれらた上記摘み部間は上記収容部に収容された液体の注出時の流路となること
を特徴とする液体用収容容器。
【考案の詳細な説明】
【技術分野】
【０００１】
本考案は、例えば牛乳等の液体を収容する液体用収容容器に関する。
【背景技術】
【０００２】
従来、例えば牛乳パック等の液体用収容容器は、容器上方の注ぎ口を含む蓋部が接合されており、当該注ぎ口を開口して、収容された牛乳やお茶、ジュース等の液体を他の容器に移したりするようになっているが、当該注ぎ口を構成する接合部が強固に接合されているため、容易に剥がしにくく、また注ぎ口が破れてしまうこともあり、問題となっていた。即ち、一般的な容器に印刷されている開封方法である、（１）両側に開いてください、（２）左右とも完全に押しひろげます、（３）手前に充分引き出してください、の指示通りに手前に引き出す際に、接合部を剥がすのが困難な場合が多く、折り込み部分の中心部に竹串等を差し込むか、指先（爪）で剥がす必要があり、注ぎ口の形状を傷めることが多々あり、また衛生上も問題となっていた。
【０００３】
このような問題に鑑みて、例えば、特許文献１では、糸状の剥離片の先端を、内折り込み閉鎖パネルの折り込み先端部又はシールフラップの中央部垂直折り線付近に取り付け、紙容器を開封する際は、摘みを持ち、これを引っ張りながら２つ折りとされたシールフラップ同士の接合面及びシールフラップ同士の接合面に沿い上にしごきあげ、接合面を剥離し、続いて摘みを手前に引っ張ることで折り込まれていた閉鎖パネルを引き出し、注ぎ口を形成する紙容器が開示されている。
【先行技術文献】
【特許文献】
【０００４】
【特許文献１】実開平７−２８８２３号公報
【考案の概要】
【考案が解決しようとする課題】
【０００５】
しかしながら、上記特許文献１の紙容器では、別部品である糸状の剥離片を、内折り込み閉鎖パネルの折り込み先端部又はそのシールフラップの中央部垂直折り線付近に取り付けなければならず、製造工程が煩雑となり、コスト高ともなっていた。
【０００６】
そこで、本考案は上述の技術的な課題に鑑み、簡易に製造することができ、コスト高ともならず、容器上方の蓋部の注ぎ口を簡易に且つ形状を傷めることなく正確に開口することが可能で、注ぎ口からの良好な液体の注出を実現でき、衛生面でも優れた液体用収容容器を提供することを目的とする。
【課題を解決するための手段】
【０００７】
上述技術的な課題を解決するために、本考案の第１の態様では、液体を収容する収容部と、上記収容部から連設されており、開口時に注ぎ口中心折曲線に沿って折り曲げられることで注ぎ口を形成する左右の接合部を有する蓋部と、上記左右の接合部に、上記注ぎ口中心折曲線から所定の間隔をあけてそれぞれ設けられている摘み部とを備えたことを特徴とする液体用収容容器が提供される。
【０００８】
また、本考案の第２の態様では、液体を収容する収容部と、上記収容部から連設されており、後面の左右の接合部と前面の左右の接合部を有し、閉じた状態では後面の左右の接合部の一部が接合され、前面の左右の接合部が接合され、開口時には、上記後面の左右の接合部の接合が剥がされ、上記前面の左右の接合部の接合が剥がされ、上記前面の左右の接合部が注ぎ口中心折曲線に沿って折り曲げられることで注ぎ口を形成する蓋部と、上記前面の左右の接合部に、上記注ぎ口中心折曲線により定められる注ぎ口中心から所定の間隔をあけてそれぞれ設けられている摘み部とを備え、上記蓋部の上記前面の左右の接合部の上辺の所定の間隔があけれらた上記摘み部間は上記収容部に収容された液体の流路となることを特徴とする液体用収容容器が提供される。
【考案の効果】
【０００９】
本考案に係る液体用収容容器によれば、簡易に製造することができ、コスト高ともならず、容器上方の蓋部の注ぎ口を簡易に、且つ形状を傷めることなく正確に開口することが可能で、注ぎ口からの良好な液体の注出を実現でき、衛生面も良好となる。
【図面の簡単な説明】
【００１０】
【図１】本考案の第１の実施形態に係る液体用収容容器の接合部を１次開口した様子を正面斜め上方から見た様子を示す図である。
【図２】本考案の第１の実施形態に係る液体用収容容器の接合部を２次開口した様子を正面斜め上方から見た様子を示す図である。
【図３】本考案の第１の実施形態に係る液体用収容容器の接合部を２次開口した様子を示す斜視図である。
【図４】（ａ）乃至（ｃ）は、本考案の第１の実施形態に係る液体用収容容器を、１次開口から２次開口へと注ぎ口を開口する過程を示す図である。
【図５】本考案の第２の実施形態に係る液体用収容容器の接合部を１次開口した様子を正面斜め上方から見た様子を示す図である。
【考案を実施するための形態】
【００１１】
以下、本考案の液体用収容容器に係る好適な実施形態について図面を参照しながら説明する。なお、本考案の液体用収容容器は、以下の記述に限定されるものではなく、本考案の要旨を逸脱しない範囲において、適宜変更可能である。
【００１２】
（第１の実施形態）
【００１３】
先ず、図１乃至図３を参照して、本考案の第１の実施形態に係る液体用収容容器の構成について詳細に説明する。図１は液体用収容容器の接合部を１次開口した様子を正面斜め上方から見た様子を示す図であり、図２は液体用収容容器の接合部を２次開口した様子を正面斜め上方から見た様子を示す図であり、図３は液体用収容容器の接合部を２次開口した様子を示す斜視図である。
【００１４】
これらの図に示されるように、この液体用収容容器は、収容部１と当該収容部１に連設された蓋部２とからなる。蓋部２において、注ぎ口３２を構成する右側接合部２６と左側接合部２７とに一対の摘み部２８ａ，２８ｂが設けられている点に特徴がある。この摘み部２８ａ，２８ｂは、注ぎ口中心折曲線３１から所定間隔を隔てて、右側接合部２６と左側接合部２７の上方の一辺に設けられている。以下、各部の構成を詳述する。
【００１５】
収容部１は、牛乳やお茶、ジュース等の液体を収容するためのものであり、前面部１１と右側面部１２、左側面部１３、後面部１４、底面部１５からなる。実際には、１枚の紙片が、折曲線１６ａ乃至１６ｄで折曲げられ、更に前面部１１、右側面部１２、左側面部１３、後面部１４、底面部１５から連設された紙片が折曲線１７ａ乃至１７ｄで折曲げられて、重ね合わされて接合され、底面部１５を構成している。このように底面も、底面部１５により完全に封止された状態となっているので、収容された液体が外部に漏れることもない。尚、この例では、右側面部１２に設けられた不図示の糊代が折曲線１６ｄにより折り曲げられて、後面部１４に接着材によって接着されている。
【００１６】
蓋部２は、収容部１の各部１１乃至１４に連設されており、所定の傾斜をもつ傾斜部２１，２２が、折曲線２９ｆで折り曲げられ、接合部２３にて接合されている。図１では１次開口した様子を示しているが、開口される前の状態では、右側接合部２６は右側下方接合部２４ｂに接着材により接着され、左側接合部２７は左側下方接合部２５ｂに接着材により接着されている。さらに、閉じた状態で対向する右側上方接合部２４ａと左側上方接合部２５ａとが接着材により接着され、閉じた状態で対向する右側接合部２６と左側接合部２７とが接着材により接着されている。このとき、摘み部２８ａ，２８ｂは裏面にも表面にも接着材は塗布されず、相互にも接着されず、また、右側上方接合部２４ａ、左側上方接合部２５ａにも接着されない状態を維持している。
【００１７】
１次開口する際には、後面左側三角部３０ａ、前面左側三角部３０ｂ、後面右側三角部３０ｅ、前面右側三角部３０ｄを、折曲線２９ａ，２９ｃ，２９ｆ，２９ｄに沿ってそれぞれ折り曲げ、後方に押し広げるようにする。即ち、右側上方接合部２４ａと左側上方接合部２５ａとの接合を剥がし、右側接合部２６と左側接合部２７との接合を剥がし、押し広げることで、図１に示されるような状態となる。この状態では、開口部３３は開口されてはいない。この開口部３３は、後面左側三角部３０ａ、前面左側三角部３０ｂ、前面中央三角部３０ｃ、前面右側三角部３０ｄ、後面右側三角部３０ｅ、接合部２６，２７、右側上方接合部２４ａ、右側下方接合部２４ｂ、左側上方接合部２５ａ、左側下方接合部２５ｂ、及び摘み部２８ａ，２８ｂで構成される。
【００１８】
開口部３３を構成する各部について、後面左側三角部３０ａは、傾斜部２１から折曲線２９ａを介して連設されており、前面左側三角部３０ｂは、後面左側三角部３０ａから１辺（折曲線２９ｂ）を介して連設されている。後面右側三角部３０ｅは、傾斜部２２から折曲線２９ｆを介して連設されており、前面右側三角部３０ｄは、後面右側三角部３０ｅから１辺（折曲線２９ｅ）を介して連設されている。前面中央三角部３０ｃは、収容部１の前面部１１から折曲線２９ｇを介して連設されており、前面左側三角部３０ｂ、前面右側三角部３０ｄは、この前面中央三角部３０ｃから各１辺（折曲線２９ｃ、２９ｄ）を介して連設されている。右側接合部２６は前面右側三角部３０ｄから連設されており、左側接合部２７は前面左側三角部３０ｂから連設されている。右側下方接合部２４ｂは、後面右側三角部３０ｅから連設されており、左側下方接合部２５ｂは、後面左側三角部３０ａから連設されている。右側上方接合部２４ａは、右側下方接合部２４ｂから連設されており、左側上方接合部２５ａは、左側下方接合部２５ｂから連設されている。
【００１９】
そして、右側接合部２６、左側接合部２７の各上辺には、注ぎ口中心折曲線３１により定められる中心点、即ち各上辺が注ぎ口中心折曲線３１と交差する中心点から所定間隔を隔てて、摘み部２８ａ，２８ｂが、それぞれ設けられている。この例では、上方が円弧形状をした摘み部２８ａ，２８ｂを採用しているが、摘み部２８ａ，２８ｂの形状は、これに限定されるものではないことは勿論である。
【００２０】
２次開口する際には、摘み部２８ａ，２８ｂを指でつまみ、手前に引っ張ることで、右側接合部２６と右側下方接合部２４ｂの接合を剥がし、左側接合部２７と左側下方接合部２５ｂとの接合を剥がす。これにより図２に示されるような開口部３３が開口された状態となる。即ち、後面左側三角部３０ａは折曲線２９ａに沿って角度を変えて動き、後面右側三角部３０ｅは折曲線２９ｆに沿って角度を変えて動き、前面左側三角部３０ｂは折曲線２９ｂに沿って開く方向に角度を変えて動き、前面右側三角部３０ｄは折曲線２９ｅに沿って開く方向に角度を変えて動き、折曲線２９ｃ，２９ｄも折れ曲がり、こうして注ぎ口３２を含む開口部３３が開口されることになる。
【００２１】
この実施形態に係る液体用収容容器１００では、前述したように、注ぎ口３２を構成する右側接合部２６、左側接合部２７の各上辺に摘み部２８ａ，２８ｂが設けられているが、注ぎ口中心から所定間隔を隔てて設けられているので、その摘み部２８ａ，２８ｂの間から、正確に収容された液体をコップ等の外部容器に移すことが可能となっている。すなわち、摘み部２８ａ，２８ｂにより規制される所定間隔の流路から正確に液体を移すことが可能である。この点、この実施形態の特徴部分の一つである。
【００２２】
ここで、図４（ａ）乃至（ｃ）を参照して、本実施形態に係る液体用収容容器の注ぎ口を開口する過程を説明する。
【００２３】
図４（ａ）は開封前の状態を示している。この状態から１次開口すると図４（ｂ）に示されるような状態となる。すなわち、１次開口する際には、後面左側三角部３０ａを折曲線２９ａに沿って傾斜部２１側に図中矢印で示す方向に押し広げ、後面右側三角部３０ｅを折曲線２９ｆに沿って傾斜部２２側に図中矢印で示す方向に押し広げ、右側上方接合部２４ａと左側上方接合部２５ａとの接合を剥がす。このとき、前面左側三角部３０ｂ、前面右側三角部３０ｄも折曲線２９ｃ，２９ｄに沿ってそれぞれ折り曲げられ、右側接合部２６と左側接合部２７との接合も剥がされる。
【００２４】
続いて、この状態から２次開口すると図４（ｃ）に示されるような状態となる。すなわち、２次開口する際には、右側三角部２６の上辺に設けられた摘み部２８ａと左側三角部２７の上辺に設けられた摘み部２８ｂを指で摘み、手前、即ち図中矢印で示す方向に引っ張り出す。これにより、右側下方三角部２４ｂと右側三角部２６の接合が剥がされ、左側下方三角部２５ｂと左側三角部２７の接合が剥がされる。さらに、前面左側三角部３０ｂと前面右側三角部３０ｄが折曲線２９ｃ，２９ｄに沿って前面中央三角部３０ｃに対して折り曲げられ、後面左側三角部３０ａ、後面右側三角部３０ｅが折曲線２９ａ，２９ｆに沿って折り曲げられ、前面中央三角部３０ｃが折曲線２９ｇに沿って折り曲げられ、右側三角部２６と左側三角部２７が注ぎ口中心折曲線３１に沿って折り曲げられ、蓋部２が開口され、注ぎ口３２が前に突出する。
【００２５】
このように２次開口された状態では、注ぎ口３２を構成する右側接合部２６、左側接合部２７の各上辺に設けられた摘み部２８ａ，２８ｂが、注ぎ口中心から所定間隔を隔てて設けられているので、その摘み部２８ａ，２８ｂの間から、正確に収容された液体をコップ等の外部容器に移すことが可能となる。
【００２６】
以上詳述したように、本考案の第１の実施形態によれば、液体を収容する収容部１と、上記収容部１から連設されており、開口時に注ぎ口中心折曲線３１に沿って折り曲げられることで注ぎ口３２を形成する左右の接合部（右側接合部２６、左側接合部２７）を有する蓋部２と、上記左右の接合部（右側接合部２６、左側接合部２７）に、上記注ぎ口中心折曲線３１から所定の間隔をあけてそれぞれ設けられている摘み部２８ａ，２８ｂとを備えたことを特徴とする液体用収容容器１００が提供される。
【００２７】
ここで、上記摘み部２８ａ，２８ｂは、上記左右の接合部（右側接合部２６、左側接合部２７）の上辺から上方に向けて延出されるように設けられており、上方が円弧形状となっていることとしてよい。
【００２８】
また、上記蓋部２の上記左右の接合部（右側接合部２６、左側接合部２７）の上辺の所定の間隔があけれらた上記摘み部２８ａ，２８ｂ間は上記収容部１に収容された液体の注出時の流路となることとしてよい。
【００２９】
さらに、本考案の第１の実施形態によれば、液体を収容する収容部１と、上記収容部１から連設されており、後面の左右の接合部（右側上方接合部２４ａ、右側下方接合部２４ｂ、左側上方接合部２５ａ、左側下方接合部２５ｂ）と前面の左右の接合部（右側接合部２６、左側接合部２７）を有し、閉じた状態では後面の左右の接合部（右側上方接合部２４ａ、右側下方接合部２４ｂ、左側上方接合部２５ａ、左側下方接合部２５ｂ）の一部（右側上方接合部２４ａ、左側上方接合部２５ａ）が接合され、前面の左右の接合部（右側接合部２６、左側接合部２７）が接合され、開口時には、上記後面の左右の接合部（右側上方接合部２４ａ、左側上方接合部２５ａ）の接合が剥がされ、上記前面の左右の接合部（右側接合部２６、左側接合部２７）の接合が剥がされ、上記前面の左右の接合部（右側接合部２６、左側接合部２７）が注ぎ口中心折曲線３１に沿って折り曲げられることで注ぎ口３２を形成する蓋部２と、上記前面の左右の接合部（右側接合部２６、左側接合部２７）に、上記注ぎ口中心折曲線３１により定められる注ぎ口中心から所定の間隔をあけてそれぞれ設けられている摘み部２８ａ，２８ｂとを備え、上記蓋部２の上記前面の左右の接合部（右側接合部２６、左側接合部２７）の上辺の所定の間隔があけれらた上記摘み部２８ａ，２８ｂ間は上記収容部１に収容された液体の注出時の流路となることを特徴とする液体用収容容器が提供される。
【００３０】
（第２の実施形態）
【００３１】
図５には本考案の第２の実施形態に係る液体用収容容器の構成を示し説明する。図５では、第２の実施形態に係る液体用収容容器の接合部を１次開口した様子を正面斜め上方から見た様子を示している。以下、第１の実施形態と同一の構成については同一符号を用いて、重複した説明は省略する。
【００３２】
図５に示されるように、液体用収容容器１０１では、前面左側三角部３０ｂより左側三角部２７が連設されており、前面右側三角部３０ｄより右側三角部２６が連設されている。そして、この右側三角部２６の上辺に摘み部５０ａが設けられ、左側三角部２７の上辺に摘み部５０ｂが設けられている。摘み部５０ａ，５０ｂは、注ぎ口中心折曲線３１より所定間隔を隔てて設けられている。より詳細には、右側接合部２６、左側接合部２７の各上辺には、注ぎ口中心折曲線３１により定められる中心点、即ち各上辺が注ぎ口中心折曲線３１と交差する中心点から所定間隔を隔てて、摘み部５０ａ，５０ｂが、それぞれ設けられている。そして、この例では、摘み部５０ａ、５０ｂが、注ぎ口中心折曲線３１からの距離が遠くなるに従って高さが高くなるような傾斜の斜辺を有する三角形となっている。このような形状となっていることから、２次開口された際には、注ぎ口中心から収容された牛乳等の液体を正確に注出する流路を形成することができる。即ち、中心に近いほど、液体の流出を規制する摘み部５０ａ，５０ｂの高さが低くなっているので、注出を中心に集めることが可能となっている。
【００３３】
以上詳述したように、本考案の第２の実施形態によれば、摘み部５０ａ，５０ｂは、三角形状であり、上記注ぎ口中心折曲線３１により定められる注ぎ口中心から離れるに従って高さが高くなるような傾斜の斜辺を有することを特徴とする液体用収容容器が提供される。さらに、この蓋部２の上記左右の接合部（右側接合部２６、左側接合部２７）の上辺の所定の間隔があけれらた上記摘み部５０ａ，５０ｂ間は、上記収容部１に収容された液体の流路となることを特徴とする。
【００３４】
以上、本考案の実施形態について説明したが、本考案はこれに限定されることなく、その趣旨を逸脱しない範囲で種々の改良・変更が可能であることは勿論である。例えば、上記摘み部の形状は前述したものに限定されるものではなく、種々の形状を採用することが可能であることは勿論である。また、摘み部を別部材として、その一部（糊代など）を接合部に貼り付けるような構成としてもよい。この場合、摘み部としては、紙片のほか、布片や合成樹脂等を採用することができる。また、摘み部を着色して、他と区別し、摘み部であることが明確となるように工夫してもよい。
【符号の説明】
【００３５】
１  収容部
２  蓋部
１１  前面部
１２  右側面部
１３  左側面部
１４  後面部
１５  底面部
１６ａ〜１６ｄ  折曲線
１７ａ〜１７ｄ  折曲線
２１  傾斜部
２２  傾斜部
２３  接合部
２４ａ  右側上方接合部
２４ｂ  右側下方接合部
２５ａ  左側上方接合部
２５ｂ  左側下方接合部
２６  右側接合部
２７  左側接合部
２８ａ  摘み部
２８ｂ  摘み部
２９ａ〜２９ｆ  折曲線
３０ａ  後面左側三角部
３０ｂ  前面左側三角部
３０ｃ  前面中央三角部
３０ｄ  前面右側三角部
３０ｅ  後面右側三角部
３１  注ぎ口中心折曲線
３２  注ぎ口
３３  開口部
５０ａ  摘み部
５０ｂ  摘み部
１００  液体用収容容器
１０１  液体用収容容器
【図１】
0003158691.tif 000003
【図２】
0003158691.tif 000004
【図３】
0003158691.tif 000005
【図４】
0003158691.tif 000006
【図５】
0003158691.tif 000007